(57)【要約】【課題】多軸掘削機で掘削する場合、結束バンドで連結した多軸全体が掘削軸の回転により捩れることを防止でき、捩れを修正する作業を省くことができて施工性を向上できる多軸掘削機を得る。【解決手段】途中を結束バンド９で相互に結束した複数本の掘削軸５を下方に向けて駆動機構に連結した多軸掘削機において、前記結束バンド９の両端外側に、複数本の掘削軸５の全体が回転により捩れることを防止する部材１０として、掘削孔の壁面に摺接する一対の半月板１０ａ、１０ａをそれぞれ取り付けた。【選択図】        図１
2004162363.tif 000002
【特許請求の範囲】
【請求項１】
途中を結束バンドで相互に結束した複数本の掘削軸を下方に向けて駆動機構に連結した多軸掘削機において、前記結束バンドの両端外側に、複数本の掘削軸の全体が回転により捩れることを防止する部材として、掘削孔の壁面に摺接する一対の半月板をそれぞれ取り付けたことを特徴とする多軸掘削機。
【請求項２】
一対の半月板の対向する間隔は、掘削ヘッドの径よりも少し小さく形成する請求項１記載の多軸掘削機。
【発明の詳細な説明】
【０００１】
【発明の属する技術分野】
本発明は、ソイル柱壁等の土留め壁用の掘削孔を掘削する多軸掘削機に関するものである。
【０００２】
【従来の技術】
ソイル柱壁を原位置土混合工法（ＳＭＷ工法）で施工する場合に使用する多軸掘削機は、例えば、図６、図７に示すように油圧モータおよび減速機からなる駆動機構４に掘削軸５を下方に向けて連結してなり、かつ、この掘削軸５は複数本（図示では５本）並列させ、ロッドを振れ止めのための結束バンド９で結束した。
【０００３】
該掘削軸５は先端に掘削ヘッド５ａを設け、また、途中に断続するスクリュー羽根による攪拌翼兼用の掘削翼５ｂを設けたものである。また、図示は省略するが、この掘削軸５は中空軸で内部にセメントミルク等の固結液を流通させ、これを掘削ヘッド５ａの吐出口より注出できる。
【０００４】
前記駆動機構４は、掘削軸５を連結した状態で、クローラ等のベースマシン１に起立するリーダーマスト２のトップシーブ３からワイヤーで吊り支する。さらに、駆動機構４は背面に設けた湾曲ブラケット６をリーダーマスト２に沿設したリーダー７に係合させる。図中８はリーダーマスト２の下端に設けた首かせ状の振れ止めで、掘削軸５が上下に貫通する。
【０００５】
駆動機構４により掘削軸５を回転駆動し、掘削ヘッド５ａで錐揉み状に掘削を行うが、かかる掘削時に掘削ヘッド５ａよりセメントミルク等の固結液を吐出させて、土中において原位置土と混合して先行エレメントのソイルセメント壁体を造成する。
【０００６】
前記のように複数本の掘削軸５を回転させて掘削するとき、特に５軸機や３軸機のような多軸機の場合、（図８、図９に示す例は３軸機であるが、）各掘削軸５が隣接するもの同士で逆方向に回転し、左右両端に位置する掘削軸５は図示の例ではともに右回転する。
【０００７】
前記先行技術は当業者間で一般に使用されている掘削機であり、文献公知発明に係るものではない。
【０００８】
【発明が解決しようとする課題】
両端に位置する掘削軸５が右回転すると、図９（ａ）（ｂ）（ｃ）に示すように結束バンド９で結束された３軸の掘削軸５の全体が右回転方向にふれてしまい、３軸の全体が捩れて回転する傾向になり、かかる捩れは大深度になるほど大きな曲がりとなって、掘削孔の掘削方向が水平方向においてずれてくる。
【０００９】
かかる不都合を解消するため、従来は駆動機構４の構成要素である減速機の回転を止め、ガイド孔を切削してこれに沿って掘削して曲がりを修正し、また、計測を行って曲がりや捩れを検知している。
【００１０】
このため、掘削作業が中断するだけでなく、曲がり・捩れを修正する作業を要して施工性がよくないものになっている。なお、結束バンド９は複数本の掘削軸５を相互に結束するものであり、この結束バンド９では、結束された複数本の掘削軸５の全体が捩れることを防ぐことはできない。
【００１１】
本発明の目的は前記従来例の不都合を解消し、多軸掘削機で掘削する場合、多軸全体が回転により捩れることを防止でき、掘削方向がずれることを防いで施工性を向上できる多軸掘削機を提供することにある。
【００１２】
【課題を解決するための手段】
本発明は前記目的を達成するため、第１に、途中を結束バンドで相互に結束した複数本の掘削軸を下方に向けて駆動機構に連結した多軸掘削機において、前記結束バンドの両端外側に、複数本の掘削軸の全体が回転により捩れることを防止する部材として、掘削孔の壁面に摺接する一対の半月板をそれぞれ取り付けたこと、第２に、一対の半月板の対向する間隔は、掘削ヘッドの径よりも少し小さく形成することを要旨とするものである。
【００１３】
請求項１記載の本発明によれば、掘削時には、一対の半月板が両端位置の掘削ヘッドにより掘削される掘削孔において複数本の掘削軸の並列方向と直交する方向で対向して孔壁面に摺接するから、孔壁面に対して半月板が抵抗となって、結束された複数本の掘削軸の全体が両端に位置する掘削軸の回転方向と同方向に回転することを阻止する。よって、複数本の掘削軸の全体が捩れることを防止でき、掘削孔の掘削方向が水平方向においてずれることを防げる。
【００１４】
請求項２記載の本発明によれば、前記作用に加えて、一対の半月板の対向する間隔は、掘削ヘッドの径よりも少し小さく形成したから、半月板を掘削孔の短径方向で対向させて孔壁面に確実に摺接させることができる。
【００１５】
【発明の実施の形態】
以下、図面について本発明の実施の形態を詳細に説明する。図１は本発明の多軸掘削機の実施形態を示す要部である捩れ防止部材を取り付けた結束バンドの平面図、図２は同上正面図で、多軸掘削機の全体構成は図６、図７について既に説明したとおりであるから、ここでの詳細な説明は省略する。
【００１６】
本発明の多軸掘削機は、図１、図２に示すように結束バンド９に複数本の掘削軸５の全体が回転により捩れることを防止する部材１０として、結束バンド９の両端外側に一対の半月板１０ａ、１０ａを取り付けた。半月板１０ａ、１０ａの配設位置は、両端位置の掘削ヘッド５ａにより掘削される掘削孔において複数本の掘削軸５の並列方向と直交する方向とし、結束バンド９への取付手段として、半割形状の部材を結合してなる結束バンド９の結合箇所のうちの両端の係合部を利用して、この箇所から結合バンド９の長さ方向と直交する方向にアーム１０ｂを突設し、該アーム１０ｂの先端に半月板１０ａ、１０ａをそれぞれ取り付ける。
【００１７】
結束バンド９は図３に示すようにロッドの複数箇所に配設されるが、その全てに半月板１０ａ、１０ａを取り付ける（図４参照）。
【００１８】
この一対の半月板１０ａ、１０ａは、半月形状の内側が対向するように結合されたもので、結合の間隔幅は掘削ヘッド５ａの径よりも少し小さく形成して、両端に位置する掘削ヘッド５ａによる掘削孔の孔壁面に摺設するように構成する。
【００１９】
次ぎに作用について説明すると、掘削時には、複数本の掘削軸５が同時に回転し、例えば複数本の掘削軸５のうち両端に位置する掘削軸５は同じ方向の右回転とする。この状態で、結束バンド９で結束されている複数本の掘削軸５の全体が前記回転につられて同方向の右方向に回転しようとするが、複数本の掘削軸５の並列方向と直交する方向で対向して両端に一対の半月板１０ａ、１０ａが位置して外側の円弧面が両端位置の掘削ヘッド５ａによる掘削孔の孔壁面に摺接するから、この半月板１０ａ、１０ａが回転の抵抗となって、図５（ａ）（ｂ）（ｃ）のように掘削が進行しても複数本の掘削軸５の全体が右方向に回ることを阻止する（図５参照）。
【００２０】
そして、この場合、一対の半月板１０ａ、１０ａの間隔幅を掘削ヘッド５ａの径よりも少し小さく形成したから、掘削ヘッド５ａで掘削された掘削孔の孔壁面に半月板１０ａ、１０ａを確実に摺接させることができる。
【００２１】
これにより、結束バンド９で結束された複数本の掘削軸５の全体が捩れて曲がることを防ぐことができ、掘削孔の掘削方向が水平方向においてずれることがない。
【００２２】
【発明の効果】
以上述べたように本発明の多軸掘削機は、多軸掘削機で掘削する場合、多軸を結束するバンドに多軸全体が回転により捩れることを防止する部材を取り付けたから、捩れ曲がることを防止でき、施工中に捩れを修正する作業を行う必要がなく施工性を向上できるものである。
【図面の簡単な説明】
【図１】本発明の多軸掘削機の実施形態を示す要部である捩れ防止部材を取り付けた結束バンドの平面図である。
【図２】本発明の多軸掘削機の実施形態を示す要部である捩れ防止部材を取り付けた結束バンドの正面図である。
【図３】本発明の多軸掘削機の実施形態を示す説明図である。
【図４】本発明の多軸掘削機の実施形態を示す要部である捩れ防止部材を取り付けたロッドの箇所の横断平面図である。
【図５】本発明の多軸掘削機の実施形態を示す回転時の捩れ防止部材を取り付けたロッドの箇所の横断平面図である。
【図６】多軸掘削機の正面図である。
【図７】多軸掘削機の側面図である。
【図８】従来の多軸掘削機の説明図である。
【図９】従来の多軸掘削機の回転時のロッドの箇所の横断平面図である。
【符号の説明】
１…ベースマシン                ２…リーダーマスト
３…トップシーブ                ４…駆動機構
５…掘削軸                      ５ａ…掘削ヘッド
５ｂ…掘削翼                    ６…湾曲ブラケット
７…リーダー                    ８…振れ止め
９…結束バンド                  １０…捩れることを防止する部材
１０ａ…半月板                  １０ｂ…アーム
【図１】
2004162363.tif 000003
【図２】
2004162363.tif 000004
【図３】
2004162363.tif 000005
【図４】
2004162363.tif 000006
【図５】
2004162363.tif 000007
【図６】
2004162363.tif 000008
【図７】
2004162363.tif 000009
【図８】
2004162363.tif 000010
【図９】
2004162363.tif 000011